(57)【要約】【課題】複数の無線装置が同一の保守監視情報を監視する場合であっても、保守監視情報を一致させて無線制御装置の制御を安定すること。【解決手段】複数の無線装置と、複数の無線装置を制御する無線制御装置とを有する無線通信システムであって、複数の無線装置が受信した保守監視情報を無線制御装置に送信する保守監視情報送信部と、同じ送信元から複数の無線装置が受信した保守監視情報を、無線制御装置が同じ情報として取得するよう制御する保守監視情報制御部と、を備えることを特徴とする。【選択図】  図１
2013162210.tif 000002
【特許請求の範囲】
【請求項１】
複数の無線装置と、前記複数の無線装置を制御する無線制御装置とを有する無線通信システムであって、
前記複数の無線装置が受信した保守監視情報を前記無線制御装置に送信する保守監視情報送信手段と、
同じ送信元から前記複数の無線装置が受信した保守監視情報を、前記無線制御装置が同じ情報として取得するよう制御する保守監視情報制御手段と、
を備えることを特徴とする無線通信システム。
【請求項２】
前記複数の無線装置に対してマスタ権を設定する設定手段を備え、
前記保守監視情報制御手段は、前記マスタ権が設定されていない無線装置が受信した保守監視情報を、前記マスタ権が設定された無線装置が受信した保守監視情報に一致させるよう制御することを特徴とする請求項１に記載の無線通信システム。
【請求項３】
各無線装置が受信した保守監視情報を、受信した無線装置に対応付けて記憶する記憶手段を備え、
前記保守監視情報制御手段は、前記マスタ権が設定されていない無線装置が受信して前記記憶手段に記憶した第１保守監視情報が、前記マスタ権が設定された無線装置が受信して前記記憶手段に記憶した第２保守監視情報と異なる場合に、前記第１保守監視情報を前記第２保守監視情報に補正することを特徴とする請求項２に記載の無線通信システム。
【請求項４】
各無線装置が受信した保守監視情報を収集する収集手段を備え、
前記保守監視情報制御手段は、収集された複数の保守監視情報のうち多数が一致する保守監視情報を、前記無線制御装置が取得する保守監視情報とすることを特徴とする請求項１に記載の無線通信システム。
【請求項５】
前記複数の無線装置間、及び前記無線装置と前記無線制御装置との間は、ＣＰＲＩ(Common Public Radio Interface)規格による情報通信を行なうことを特徴とする請求項１乃至４のいずれか１項に記載の無線通信システム。
【請求項６】
マスタ権の設定又は前記保守監視情報の通信は、ＣＰＲＩプロトコルにおいて、Control & Management Plane及びLayer 1のVendor Specificを使用することを特徴とする請求項５に記載の無線通信システム。
【請求項７】
複数の無線装置と、前記複数の無線装置を制御する無線制御装置とを有する無線通信システムの制御方法であって、
前記複数の無線装置が受信した保守監視情報を前記無線制御装置に送信する保守監視情報送信ステップと、
同じ送信元からの前記複数の無線装置が受信した保守監視情報を、前記無線制御装置が同じ情報として取得するよう制御する保守監視情報制御ステップと、
を含むことを特徴とする無線通信システムの制御方法。
【請求項８】
複数の無線装置と、前記複数の無線装置を制御する無線制御装置とを有する無線通信システムにおける無線装置であって、
当該無線装置にマスタ権が設定されているか否かを記憶するマスタ権記憶手段と、
前記複数の無線装置が受信した保守監視情報を記憶する保守監視情報記憶手段と、
前記マスタ権記憶手段にマスタ権が設定されている場合に、当該無線装置が受信した保守監視情報に異なる保守監視情報を一致させるべく前記保守監視情報記憶手段を補正する保守監視情報補正手段と、
を備えることを特徴とする無線装置。
【請求項９】
複数の無線装置と、前記複数の無線装置を制御する無線制御装置とを有する無線通信システムにおける無線装置であって、当該無線装置にマスタ権が設定されているか否かを記憶するマスタ権記憶手段を有する無線装置の制御方法であって、
前記複数の無線装置が受信した保守監視情報を保守監視情報記憶手段に記憶する保守監視情報記憶ステップと、
前記マスタ権記憶手段にマスタ権が設定されている場合に、当該無線装置が受信した保守監視情報に異なる保守監視情報を一致させるべく前記保守監視情報記憶手段を補正する保守監視情報補正ステップを含むことを特徴とする無線装置の制御方法。
【請求項１０】
複数の無線装置と、前記複数の無線装置を制御する無線制御装置とを有する無線通信システムにおける無線装置であって、当該無線装置にマスタ権が設定されているか否かを記憶するマスタ権記憶手段を有する無線装置の制御プログラムであって、
前記複数の無線装置が受信した保守監視情報を保守監視情報記憶手段に記憶する保守監視情報記憶ステップと、
前記マスタ権記憶手段にマスタ権が設定されている場合に、当該無線装置が受信した保守監視情報に異なる保守監視情報を一致させるべく前記保守監視情報記憶手段を補正する保守監視情報補正ステップをコンピュータに実行させることを特徴とする制御プログラム。
【発明の詳細な説明】
【技術分野】
【０００１】
本発明は、無線装置と無線制御装置とからなる無線通信システムを用いた無線通信技術に関する。
【背景技術】
【０００２】
上記技術分野において、特許文献１には、複数の無線装置と無線装置を制御する無線制御装置とを有する無線通信システムにおいて、各無線装置の保守監視情報を無線制御装置に通知する技術が開示されている。
【先行技術文献】
【特許文献】
【０００３】
【特許文献１】特開２０１０−１７１７３９号公報
【発明の概要】
【発明が解決しようとする課題】
【０００４】
しかしながら、上記文献に記載の技術では、複数の無線装置が同一の保守監視情報を監視するような構成の無線通信システムにおいては、タイミングのズレやノイズなどにより保守監視情報が一致せず無線制御装置の制御が混乱することがあった。
【０００５】
本発明の目的は、上述の課題を解決する技術を提供することにある。
【課題を解決するための手段】
【０００６】
上記目的を達成するため、本発明に係るシステムは、
複数の無線装置と、前記複数の無線装置を制御する無線制御装置とを有する無線通信システムであって、
前記複数の無線装置が受信した保守監視情報を前記無線制御装置に送信する保守監視情報送信手段と、
同じ送信元から前記複数の無線装置が受信した保守監視情報を、前記無線制御装置が同じ情報として取得するよう制御する保守監視情報制御手段と、
を備えることを特徴とする。
【０００７】
上記目的を達成するため、本発明に係る方法は、
複数の無線装置と、前記複数の無線装置を制御する無線制御装置とを有する無線通信システムの制御方法であって、
前記複数の無線装置が受信した保守監視情報を前記無線制御装置に送信する保守監視情報送信ステップと、
同じ送信元からの前記複数の無線装置が受信した保守監視情報を、前記無線制御装置が同じ情報として取得するよう制御する保守監視情報制御ステップと、
を含むことを特徴とする。
【０００８】
上記目的を達成するため、本発明に係る装置は、
複数の無線装置と、前記複数の無線装置を制御する無線制御装置とを有する無線通信システムにおける無線装置であって、
当該無線装置にマスタ権が設定されているか否かを記憶するマスタ権記憶手段と、
前記複数の無線装置が受信した保守監視情報を記憶する保守監視情報記憶手段と、
前記マスタ権記憶手段にマスタ権が設定されている場合に、当該無線装置が受信した保守監視情報に異なる保守監視情報を一致させるべく前記保守監視情報記憶手段を補正する保守監視情報補正手段と、
を備えることを特徴とする。
【０００９】
上記目的を達成するため、本発明に係る方法は、
複数の無線装置と、前記複数の無線装置を制御する無線制御装置とを有する無線通信システムにおける無線装置であって、当該無線装置にマスタ権が設定されているか否かを記憶するマスタ権記憶手段を有する無線装置の制御方法であって、
前記複数の無線装置が受信した保守監視情報を保守監視情報記憶手段に記憶する保守監視情報記憶ステップと、
前記マスタ権記憶手段にマスタ権が設定されている場合に、当該無線装置が受信した保守監視情報に異なる保守監視情報を一致させるべく前記保守監視情報記憶手段を補正する保守監視情報補正ステップを含むことを特徴とする。
【００１０】
上記目的を達成するため、本発明に係るプログラムは、
複数の無線装置と、前記複数の無線装置を制御する無線制御装置とを有する無線通信システムにおける無線装置であって、当該無線装置にマスタ権が設定されているか否かを記憶するマスタ権記憶手段を有する無線装置の制御プログラムであって、
前記複数の無線装置が受信した保守監視情報を保守監視情報記憶手段に記憶する保守監視情報記憶ステップと、
前記マスタ権記憶手段にマスタ権が設定されている場合に、当該無線装置が受信した保守監視情報に異なる保守監視情報を一致させるべく前記保守監視情報記憶手段を補正する保守監視情報補正ステップをコンピュータに実行させることを特徴とする。
【発明の効果】
【００１１】
本発明によれば、複数の無線装置が同一の保守監視情報を監視する場合であっても、保守監視情報を一致させて無線制御装置の制御を安定することができる。
【図面の簡単な説明】
【００１２】
【図１】本発明の第１実施形態に係る無線通信システムの構成を示すブロック図である。
【図２】本発明の第２実施形態に係る無線通信システムの構成を示すブロック図である。
【図３】本発明の第２実施形態に係る無線装置（ＲＥ）の構成を示すブロック図である。
【図４Ａ】本発明の第２実施形態に係る保守監視情報テーブルの構成を示す図である。
【図４Ｂ】本発明の第２実施形態に係る無線装置（ＲＥ）の処理手順を示すフローチャートである。
【図４Ｃ】本発明の第２実施形態に係る無線通信装置（ＲＥＣ）の処理手順を示すフローチャートである。
【図５】本発明の第２実施形態に係る無線通信システムにおけるＣＰＲＩ規格による情報通信を説明する図である。
【図６】本発明の第２実施形態に係る無線通信システムにおけるＣＰＲＩプロトコルスタックの構成を示す図である。
【図７】本発明の第３実施形態に係る無線通信システムの構成を示すブロック図である。
【図８Ａ】本発明の第３実施形態に係る無線制御装置（ＲＥＣ）の構成を示すブロック図である。
【図８Ｂ】本発明の第３実施形態に係る無線制御装置（ＲＥＣ）の処理手順を示すフローチャートである。
【図９】本発明の第４実施形態に係る無線通信システムの構成を示すブロック図である。
【図１０Ａ】本発明の第４実施形態に係る無線制御装置（ＲＥＣ）の構成を示すブロック図である。
【図１０Ｂ】本発明の第４実施形態に係る無線制御装置（ＲＥＣ）の処理手順を示すフローチャートである。
【図１１】本発明の第５実施形態に係る無線通信システムの構成を示すブロック図である。
【図１２】本発明の第６実施形態に係る無線通信システムの構成を示すブロック図である。
【発明を実施するための形態】
【００１３】
以下に、図面を参照して、本発明の実施の形態について例示的に詳しく説明する。ただし、以下の実施の形態に記載されている構成要素は単なる例示であり、本発明の技術範囲をそれらのみに限定する趣旨のものではない。
【００１４】
［第１実施形態］
本発明の第１実施形態としての無線通信システム１００について、図１を用いて説明する。無線通信システム１００は、複数の無線装置１１１〜１１ｎと、複数の無線装置１１１〜１１ｎを制御する無線制御装置１２０とを有するシステムである。
【００１５】
図１に示すように、無線通信システム１００は、保守監視情報送信部１０１と、保守監視情報制御部１０２と、を含む。保守監視情報送信部１０１は、複数の無線装置１１１〜１１ｎが受信した保守監視情報を無線制御装置１２０に送信する。保守監視情報制御部１０２は、同じ送信元から複数の無線装置１１１〜１１ｎが受信した保守監視情報を、無線制御装置１２０が同じ情報として取得するよう制御する。
【００１６】
本実施形態によれば、複数の無線装置が同一の保守監視情報を監視する場合であっても、保守監視情報を一致させて無線制御装置の制御を安定することができる。
【００１７】
［第２実施形態］
次に、本発明の第２実施形態に係る無線通信システムについて説明する。本実施形態に係る無線通信システムは、複数の無線装置（ＲＥ：Radio Equipment）と無線制御装置（ＲＥＣ：Radio Equipment Controller）とがＣＰＲＩ(Common Public Radio Interface)規格による情報通信により接続されて、在圏する移動局（ＵＥ：User Equipment）を制御する基地局（ＤＲＢＳ：Digitized Radio Base Station)）として動作するシステムである。本実施形態においては、ＲＥが縦続接続されて共通の外部機器の保守監視情報をそれぞれが収集して順次に転送し、ＲＥＣに通知する。その場合に、ＲＥのいずれかにマスタ権が設定されており、マスタ権を設定されているＲＥが取得した保守監視情報を外部機器からの情報としてＲＥＣに送る。そのために、マスタ権を設定されているＲＥが取得した保守監視情報と異なる保守監視情報は、マスタ権を設定されているＲＥが取得した保守監視情報に補正される。
【００１８】
本実施形態によれば、同じ外部機器から異なる保守監視情報がＲＥＣに通知されることによるＲＥＣの混乱を無くすことができる。すなわち、上位装置側で検出する情報において、同一セクタ内に構成されたＲＥ装置の保守監視情報が、各ＲＥ間で相違することが無く、かつ上位装置の運用に混乱を生じさせることのないシステム運用を継続することができる。
【００１９】
《無線通信システムの構成》
図２は、本実施形態に係る無線通信システム２００の構成を示すブロック図である。
【００２０】
近年、携帯電話などの基地局システムにおいては、無線信号を処理するＲＥと、ＲＥを制御するＲＥＣで構成され、このＲＥＣ−ＲＥ間を結ぶインタフェースとして、ＣＰＲＩ規格が採用されている（http://www.cpri.info/jp/index.html参照）。図２の無線通信システム２００は、このＣＰＲＩ規格に準拠した構成で、複数のＲＥ２１１〜２１ｎと、複数のＲＥ２１１〜２１ｎに接続して制御するＲＥＣ２２０とが接続されている。
【００２１】
ＲＥＣ２２０は、ＣＰＲＩ伝送路２３０である光ケーブル２４１を介して、ＲＥ２１１に接続されている。ＲＥ２１１は、図示しないアンテナなどの終端機器に対応され、携帯電話などの端末との送受信を行う。大ゾーン構成の基地局システムではエリアに在圏できるユーザ数を増やすため、同一箇所に複数のアンテナにより方向を分割して使用するセクタ構成がとられることが多い。図２では、同一エリア内に存在する複数のセクタ（各ＲＥに対応している）が接続されていることを、ＲＥ２１１から始まりｎ番目のＲＥ２１ｎのブロックによりを図式的に示している。
【００２２】
ＲＥ２１１〜２１ｎの各々には、そのＲＥ群が設置されている環境（たとえば、屋内機械室、又は屋外のキュービクルなどの無線機器の収容室）におけるメンテナンス等に使用する外部機器２０１の監視制御線が、導入されている。複数のＲＥ２１１〜２１ｎ間は、図２のように、ＣＰＲＩ規格に準拠したインタフェースとして、光ケーブル２４２、２４３、…、２４ｎにより縦列接続されている。光ケーブル２４２、２４３、…、２４ｎは、無線信号の送受信を行うほか、外部機器の保守監視情報をＲＥＣ２２０に向けて伝送している。以下、図２の縦列接続において、ＲＥＣ２２０に近いＲＥ２１１側を上流ＲＥと呼び、ＲＥＣ２２０から遠いＲＥ２１ｎ側を下流ＲＥと呼ぶ。
【００２３】
本実施形態においては、保守監視情報の下流ＲＥから上流ＲＥへの報知において、マスタ権を持つＲＥは、自らが検出した保守監視情報と相違する保守監視情報がある場合は、これを修正してＣＰＲＩへの転送を行う。データの修正は、マスタ権が付与されていることを契機としこれを行うものとする。図２においては、ＲＥ２１２にマスタ権２１２ａを設定されているものと仮定する。なお、マスタ権の設定は、ＤＲＢＳ構成時にあらかじめ固定的に設定されてもよいし、ＲＥＣ２２０により動的に設定されてもよい。ＣＰＲＩ接続の上流側（図２においてはＲＥ２１１）がスレーブの場合、ＲＥ２１１の制御部は、マスタ指定されたＲＥ２１２の保守監視情報の部分を基準とし、データ修正を行いさらに上流に転送する。なお、図２においては、ＲＥ２１１は、上流ＲＥはないので、ＲＥＣ２２０に転送することになる。
【００２４】
なお、マスタ情報は、各々該当するＣＰＲＩ信号のControl & Management Planeにより情報伝送され、該当するＲＥに対してマスタ権が付与される。マスタ権の付与は、通常ＲＥＣ２２０側で指定や管理がされるが、ＲＥの運用状態によりＲＥ側で自律的に切り替えることもできる。その結果が、Control & Management PlaneによりＲＥＣ側に転送され情報が更新される。マスタ情報は、縦続配線されたＣＰＲＩのフレーム内に展開されるため、他のＲＥにおいてもマスタ情報を把握することができ、また自らがスレーブ状態であるとの認識も得ることができる。
【００２５】
ＲＥＣ２２０は、他のＲＥＣと共に、上位の装置であるＲＮＣ(Radio Netwoek Controller)に接続されて、ＲＮＣにより制御される。
【００２６】
《無線装置（ＲＥ）の構成》
図３は、本実施形態に係る無線装置（ＲＥ）２１２の構成を示すブロック図である。なお、図３には、上記図２においてマスタ権を設定されたＲＥ２１２を代表して説明する。他のＲＥも同様の構成である。ただし、最上流のＲＥ２１１の変換部３３０の接続先は、上流のＲＥではなくＲＥＣ２２０となる。
【００２７】
ＲＥ２１２は、ＲＥＣ２２０からの下り信号をデコーディングしてＲＥ２１２に入力すると共に、ＲＥＣ２２０に向けて上り信号をコーディングしてＲＥ２１１に出力する変換部３３０を有する。また、ＲＥｎ方向への下り信号をコーディングしてＲＥ２１３に出力すると共に、ＲＥ２１３からの上り信号をデコーディングしてＲＥ２１２に入力する変換部３４０を有する。
【００２８】
デコードの結果として得られた情報は、ソフト制御動作が可能なＣＰＵやＤＳＰなどの処理デバイスを有する制御部３１０により、あるものは図示しない無線送受信に使用するユーザデータ処理され、またあるものは保守監視情報などとしてメモリ部３２０に保存される。ＲＥ２１２に接続された外部機器２０１から得られた保守監視情報は、制御部３１０を介してメモリ部３２０の保守監視情報記憶部である保守監視情報テーブル３２２に保存される（図４Ａ参照）。また、メモリ部３２０は、ＲＥ２１２がマスタ権を付与されているか否かを示すマスタ権フラグ３２１をマスタ権記憶部として書き換え可能に保持する。
【００２９】
無線送受信のためのユーザデータの処理情報や得られた保守監視情報は、メモリ部３２０の情報を元に、制御部３１０及び変換部３３０や変換部３４０により再コーディングを施される。そして、上り信号は、再びＣＰＲＩ伝送路である、光ケーブル２４２を介して上流のＲＥ２１１に伝送される。一方、下り信号は、再びＣＰＲＩ伝送路である、光ケーブル２４３を介して下流のＲＥ２１３に伝送される。すなわち、ＣＰＲＩ伝送路は、双方向の信号伝送を行っている。
【００３０】
本実施形態において処理する外部機器２０１の保守監視情報は、最下流のＲＥ２１ｎから最上流のＲＥ２１１に向かった上り信号である。そして、最上流のＲＥ２１１が、保守監視情報テーブル３２２によりＲＥＣ２２０に保守監視情報を通知する。
【００３１】
（保守監視情報テーブル）
図４Ａは、本実施形態に係る保守監視情報テーブル３２２の構成を示す図である。
【００３２】
保守監視情報テーブル３２２は、接続する複数ＲＥの各ＲＥに対応して、保守監視情報を記憶するアドレス領域４０１と、外部機器２０１から各ＲＥが直接受信する保守監視情報のデータである一次受信時のアドレス領域データ４０２とを記憶する。また、保守監視情報テーブル３２２は、アドレス領域データ４０２を読み取り、マスタ権のあるＲＥのデータと比較して一致／相違を判定するデータの読み取り／判定結果４０３と、読み取り／判定結果４０３によるデータ補正要否４０４とを記憶する。そして、保守監視情報テーブル３２２は、データ補正要否４０４にしたがって補正された補正誤のアドレス領域データ４０５を記憶する。それぞれ、ＲＥ２１１が検出した保守監視情報４１０、ＲＥ２１２が検出した保守監視情報４２０、ＲＥ２１ｎが検出した保守監視情報４３０である。
【００３３】
図２のように、変換部３４０によりデコードされた下流ＲＥからの情報は、メモリ領域に割り当てられた信号ごとにメモリ内にマッピングされる。ここで外部機器２０１からの情報が更新されると、同一のメモリ領域の情報を更新して、再コーディングされＣＰＲＩ伝送路により上流ＲＥあるいはＲＥＣに伝送される。
【００３４】
図４Ａにおいて、デコードされた保守監視情報をメモリ部３２０の保守監視情報テーブル３２２に展開した結果の例を、一次受信時のアドレス領域データ４０２に示す。検出結果は、マスタ権を有するＲＥ２１２における検出値が“１”であるのに対し、メモリ領域の０ｘ０１０００に記憶されたＲＥ２１１からの検出値が“０”となっている。この場合は、複数のＲＥが縦続構成されかつ外部機器２０１が１つのみの場合の検出値としては、異常な値、若しくは誤検出と考えられる。上流にあるマスタ権をもったＲＥの制御部３１０は、このデータの補正を行い、メモリを更新する。更新された補正後のデータをアドレス領域データ４０５に示す。なお、マスタ権をもたない上流のＲＥの制御部３１０は、下流のマスタ権をもったＲＥのデータに自分の検出したデータを補正する。
【００３５】
《無線装置（ＲＥ）の処理手順》
図４Ｂは、本実施形態に係る無線装置（ＲＥ）２１２の処理手順を示すフローチャートである。このフローチャートは、図３の制御部３１０がプログラムにしたがってメモリ部３２０を使用しながら実行して、図３の各構成機能部を実現する。
【００３６】
まず、ステップＳ４１１において、マスタ権の設定を指示されたか否かを判定する。また、ステップＳ４２１においては、マスタ権の解除を設定されたか否かを判定する。また、ステップＳ４３１においては、外部機器２０１から保守監視情報を受信したか否かを判定する。また、ステップＳ４４１においては、下流のＲＥから、保守監視情報テーブル３２２を受信したか否かを判定する。
【００３７】
マスタ権の設定であればステップＳ４１３に進んで、メモリ部３２０のマスタ権フラグ３２１をＯＮにする。マスタ権の解除であればステップＳ４２３に進んで、メモリ部３２０のマスタ権フラグ３２１をＯＦＦにする。
【００３８】
外部機器２０１からの保守監視情報の受信であればステップＳ４３３に進んで、図４Ａに示すように、保守監視情報テーブル３２２の自装置に割り当てられたアドレス領域に受信した保守監視情報を書き込む。また、下流のＲＥからの保守監視情報テーブル３２２の受信であればステップＳ４４３に進んで、自装置がマスタ権を有するか否かを判定する。マスタ権を有すれば、ステップＳ４４５において、自装置領域の保守監視情報と異なる情報を同じ情報に保守監視情報補正をする（図４Ａ参照）。一方、マスタ権が無ければ補正は行なわない。しかしながら、図示しないが、下流のマスタ権をもったＲＥが接続された場合の上流ＲＥは、下流のマスタ権をもったＲＥに情報に自装置の情報を一致させる補正を行なう。ステップＳ４４７においては、上流のＲＥあるいはＲＥＣに保守監視情報テーブルを送信する。
【００３９】
《無線制御装置（ＲＥＣ）の処理手順》
図４Ｃは、本発明の第２実施形態に係る無線通信装置（ＲＥＣ）の処理手順を示すフローチャートである。このフローチャートは、ＲＥＣ２２０のＣＰＵによりＲＡＭを使用しながら実行される。
【００４０】
まず、ステップＳ４５１において、マスタ権のＲＥへの付与に関する処理か否かを判定する。また、ステップＳ４６１において、保守監視情報テーブル３２２を最上流のＲＥから取得したか否かを判定する。
【００４１】
マスタ権のＲＥへの付与に関する処理であればステップＳ４５３に進んで、所定ＲＥへのマスタ権の設定、解除、変更などの処理を行なう。保守監視情報テーブル３２２の取得であればステップＳ４６３に進んで、保守監視情報テーブル３２２から既にＲＥによって統一された保守監視情報を取得する。
【００４２】
なお、本実施形態においては、保守監視情報テーブル３２２として複数のＲＥが取得した複数の保守監視情報をＲＥＣ２２０に渡したが、ＲＥ間で保守監視情報を伝送する途中で、マスタ権をもつＲＥの保守監視情報のみをＲＥＣ２２０に渡してもよい。
【００４３】
《ＣＰＲＩ》
図５は、本実施形態に係る無線通信システムにおけるＣＰＲＩ規格により接続されたＤＲＢＳの情報通信を説明する図である。
【００４４】
ＲＥ２１１〜２１ｎとＲＥＣ２２０とを接続する内部インタフェースは、ＣＰＲＩリンクである。その構造及び作用の詳細は、ＣＰＲＩ Specificationに記載されている。ＲＥＣとＲＥとは、物理的に離れていてもよい。たとえば、ＲＥがアンテナに近い場所にあり、他方、ＲＥＣはアクセスが便利な場所に位置してもよい。
【００４５】
図５に示すように、ＲＥＣはIubインタフェースを介して図示していないＲＮＣへのアクセスを提供する。ＲＥＣからＲＥへのリンクにおいて、ＲＥＣは、通信路符号化、インタリーブ、拡散、スクランブル、物理チャネルの追加、各物理チャネルの送信電力の制御、フレーム及びスロットシグナルの生成のような動作を処理する。逆に、ＲＥからＲＥＣへのリンクにおいて、ＲＥＣは、通信路複号化、逆インリーブ、逆拡散、逆スクランブル、信号処理ユニットへの信号配信、送信電力制御用のフィードバック情報の検知、干渉率測定への信号のような働きを処理する。
【００４６】
ＲＥは、エアインタフェース（Uuインタフェース）により、ＲＥ圏内の移動局と通信する。ＲＥＣはデジタルベースバンド領域の無線機能を含み、他方、ＲＥはアナログ無線周波数機能を含む。両者の間の機能分担は、同相及び直交(ＩＱ)データに基づいて一般的なインタフェースが定義できるような方法で行われる。
【００４７】
仕様では、通信プロトコルは、物理層（Ｌａｙｅｒ  １）とデータリンク層（Ｌａｙｅｒ  ２）とで定義される。Ｌａｙｅｒ  １は、たとえば、電気的特性、光学的特性、異なるデータフローの時分割多重化、低レベル信号伝達等を定義する。Ｌａｙｅｒ  ２は、制御及び管理情報フローのメディアアクセス制御、フロー制御、データ保護を定義する。さらに、プロトコルデータ面(Data Plane)、すなわち制御面(Control Plane)、管理面(Management Plane)、ユーザ面(User Plane)、及び同期(Sync)を記述している。なお、制御・管理面(Control & Management Plane)は、ＣＰＲＩリンク上で単一の情報フローにマップされる。
【００４８】
図６は、本実施形態に係る無線通信システムにおけるＣＰＲＩプロトコルスタックの構成を示す図である。本プロトコルに従い、ＲＥＣ−ＲＥ間、ＲＥ−ＲＥ間の信号処理が行われる。
【００４９】
Control Planeは、呼処理に用いる制御データフローを含んでいる。Management Planeは、ＣＰＲＩリンク及びＲＥの運用、管理、保守についての管理情報を扱っている。Control & ManagmentデータはＲＥＣ及びＲＥと共にControl & Managmentエンティティ間で交換され、より高いプロトコル層に渡される。User Planeは、無線基地局から移動局に転送されるデータ及びその逆のデータに関係する。User Planeデータは、図６に示すように、同相及び直交(ＩＱ)変調データの形で転送される。いくつかのIQ Dataフローが物理ＣＰＲＩリンクを介して送信される。Syncは、ＲＥＣとＲＥ間の同期及びタイミング情報を転送するデータフローに関係する。同期データは、コーダのアラインメントだけでなく、チップ、ハイパーフレーム、無線フレーム境界、関連するフレーム番号の検出等に用いられる。
【００５０】
L1 inband protocolは、リンクに関係する信号情報であり、Ｌａｙｅｒ  １に直接トランスポートされる。この情報は、たとえば、システムの起動、Ｌａｙｅｒ  １の保守、及びＬａｙｅｒ  １ユーザデータに直接の時間的関係がある、時間が重要視される情報の転送等に必要である。Vendor Specificは、ベンダ独自情報、すなわち、ベンダ独自情報のために確保された情報フローを示す。このベンダ独自情報エリアは、通常、約５０Ｍbpsの空き帯域を持つ。全ての情報の流れは、適切なＬａｙｅｒ  １及びＬａｙｅｒ  ２のプロトコルを用いてデジタル・シリアル通信回線上に多重化される。異なるアンテナ・キャリアのIQ Dataは、内部インタフェースを形成する電気的又は光学的通信回線上に時分割多重方式によって多重化される。Control & Managementデータは、L1 inband protocolのデータとして送信されるか、適切なＬａｙｅｒ  ２プロトコルの最上層に存在するプロトコルによって送信されるかのどちらかである。２つの別のＬａｙｅｒ  ２プロトコルである、高データレベルリンク制御(ＨＤＬＣ)とイーサネット（登録商標）(Ithernet)が、ＣＰＲＩでサポートされている。これらの補足的なControl & Managmentデータは、IQ Dataと時間多重化される。そして、いかなる種類のベンダ独自情報の転送にも追加のタイムスロットが利用可能である。
【００５１】
かかる図５及び図６に示した仕様において、外部機器２０１の保守監視情報は、主に、Control & Managment Planeのプロトコルにより伝送される。また、Vendor Specific領域はシステムのユーザが自由に使用することができる領域であり、この領域を用いて伝送することもできる。
【００５２】
［第３実施形態］
次に、本発明の第３実施形態に係る無線通信システムについて説明する。本実施形態に係る無線通信システムは、上記第２実施形態と比べると、無線制御装置（ＲＥＣ）においてマスタ権に基づき保守監視情報を一致させる点で異なる。その他の構成及び動作は、第２実施形態と同様であるため、同じ構成及び動作については同じ符号を付してその詳しい説明を省略する。
【００５３】
本実施形態によれば、無線装置（ＲＥ）に対する処理負担を増やすことなく、保守監視情報によるＲＥＣの混乱を無くすことができる。
【００５４】
《無線通信システムの構成》
図７は、本実施形態に係る無線通信システム７００の構成を示すブロック図である。なお、図７において、第２実施形態の図２と同様の機能構成部には同じ参照番号を付して、説明は省略する。
【００５５】
本実施形態において、ＲＥ７１１〜７１ｎは、保守監視情報テーブル７２２を下流から上流に転送するが、第２実施形態のように、マスタ権をもつＲＥに保守監視情報を一致されるような処理は行なわない。
【００５６】
１つの外部機器２０１からの保守監視情報を一致させる処理は、保守監視情報テーブル７２２をＲＥ７１１から受信したＲＥＣ７２０によって行なわれる。本実施形態においては、ＲＥＣ７２０がどのＲＥにマスタ権７２１を設定したかを保持しておいて、保守監視情報テーブル７２２の情報を、マスタ権をもったＲＥの情報に一致させるように補正する。
【００５７】
なお、マスタ権はＲＥが保持し、その情報を受信して、ＲＥＣが保守監視情報の一致処理を行なってもよい。
【００５８】
《無線制御装置（ＲＥＣ）の構成》
図８Ａは、本実施形態に係る無線制御装置（ＲＥＣ）７２０の構成を示すブロック図である。
【００５９】
ＲＥＣ７２０は、ＲＥ７１１からの上り信号をデコーディングしてＲＥＣ７２０に入力すると共に、ＲＥ７１１に向けて下り信号をコーディングして出力する変換部８３０を有する。また、上り信号をコーディングしてＲＮＣに出力すると共に、ＲＮＣからの下り信号をデコーディングしてＲＥＣ７２０に入力する変換部８４０を有する。
【００６０】
デコードの結果として得られた情報は、ソフト制御動作が可能なＣＰＵやＤＳＰなどの処理デバイスを有する制御部８１０により、あるものは図示しない無線送受信に使用するユーザデータ処理され、またあるものは保守監視情報などとしてメモリ部８２０に保存される。ＲＥ７１１から受信した外部機器２０１の保守監視情報は、制御部８１０を介してメモリ部８２０の保守監視情報テーブル７２２に保存される。また、メモリ部８２０は、どのＲＥがマスタ権を付与されているか否かを示すマスタ権７２１を書き換え可能に保持する。
【００６１】
図８Ａの保守監視情報テーブル７２２は、ＲＥ８２１に対応付けて、マスタ権の有無８２２と、各ＲＥが取得した外部機器２０１の保守監視情報８２３とが記憶される。このように、図８Ａの保守監視情報テーブル７２２は、マスタ権７２１の保持を兼ねている。
【００６２】
なお、マスタ権をもつＲＥが受信した保守監視情報に、他の異なる保守監視情報を一致させる補正については、第２実施形態と同様である。
【００６３】
《無線制御装置（ＲＥＣ）の処理手順》
図８Ｂは、第３実施形態に係る無線制御装置（ＲＥＣ）の処理手順を示すフローチャートである。このフローチャートは、ＲＥＣ７２０の制御部８１０を構成するＣＰＵにより、メモリ部８２０を使用して実行される。
【００６４】
まず、ステップＳ８０１において、最上流のＲＥから統一処理がされていない保守監視情報テーブル７２２を受信したか否かを判定する。保守監視情報テーブル７２２を受信した場合にはステップＳ８０３に進んで、複数のＲＥのマスタ権７２１を参照して、マスタ権をもったＲＥが取得した保守監視情報を外部機器２０１の情報として使用する。
【００６５】
［第４実施形態］
次に、本発明の第４実施形態に係る無線通信システムについて説明する。本実施形態に係る無線通信システムは、上記第３実施形態と比べると、無線制御装置（ＲＥＣ）において多数決に基づき保守監視情報を一致させる点で異なる。その他の構成及び動作は、第３実施形態と同様であるため、同じ構成及び動作については同じ符号を付してその詳しい説明を省略する。
【００６６】
本実施形態によれば、無線装置（ＲＥ）に対する処理負担を増やすことなく、より信頼性のある保守監視情報を取得すると共に保守監視情報によるＲＥＣの混乱を無くすことができる。
【００６７】
《無線通信システムの構成》
図９は、本実施形態に係る無線通信システム９００の構成を示すブロック図である。なお、図９において、第２実施形態の図２や第３実施形態の図７と同様の機能構成部には同じ参照番号を付して、説明は省略する。
【００６８】
本実施形態において、ＲＥＣ９２０は、第３実施形態と同様に、保守監視情報テーブル９２２を下流から上流に転送するが、第２実施形態のように、マスタ権をもつＲＥに保守監視情報を一致されるような処理は行なわない。
【００６９】
１つの外部機器２０１からの保守監視情報を一致させる処理は、保守監視情報テーブル９２２をＲＥ７１１から受信したＲＥＣ９２０によって行なわれる。本実施形態においては、ＲＥＣ９２０が、保守監視情報テーブル９２２の情報から多数決部９２１により保守監視情報を一致させるようにする。
【００７０】
多数決部９２１は、全体のＲＥの内、最も多くのＲＥが取得した保守監視情報を外部機器２０１の保守監視情報と決定する。なお、多数決部９２１は、単にＲＥの数による多数決でなく、各ＲＥにその重要性を考慮して重み付けをして、加算するようにしてもよい。重み付け情報は、各ＲＥが保持していても、ＲＥＣが保持していてもよい。
【００７１】
《無線制御装置（ＲＥＣ）の構成》
図１０Ａは、本実施形態に係る無線制御装置（ＲＥＣ）９２０の構成を示すブロック図である。なお、図１０Ａにおいて、第３実施形態の図８Ａと同様の構成要素には同じ参照番号を付して、説明を省略する。ＲＥＣ９２０は、図８Ａと同様に、変換部８３０と変換部８４０とを有する。
【００７２】
デコードの結果として得られた情報は、ソフト制御動作が可能なＣＰＵやＤＳＰなどの処理デバイスを有する制御部１０１０により、あるものは図示しない無線送受信に使用するユーザデータ処理され、またあるものは保守監視情報などとしてメモリ１０８２０に保存される。ＲＥ７１１から受信した外部機器２０１の保守監視情報は、制御部１０１０を介してメモリ部１０２０の保守監視情報テーブル９２２に保存される。また、メモリ部１０２０は、多数決を実施する多数決部９２１を保持する。
【００７３】
図１０Ａの保守監視情報テーブル９２２は、ＲＥ１０２１に対応付けて、各ＲＥが取得した外部機器２０１の保守監視情報１０２２と、多数決結果１０２３とが記憶される。このように、図１０Ａの保守監視情報テーブル９２２は、多数決部９２１を兼ねている。
【００７４】
《無線制御装置（ＲＥＣ）の処理手順》
図１０Ｂは、第３実施形態に係る無線制御装置（ＲＥＣ）の処理手順をまとめて示すフローチャートである。このフローチャートは、ＲＥＣ９２０の制御部１０１０を構成するＣＰＵにより、メモリ部１０２０を使用して実行される。
【００７５】
まず、ステップＳ１００１において、最上流のＲＥから統一処理がされていない保守監視情報テーブル９２２を受信したか否かを判定する。保守監視情報テーブル９２２を受信した場合にはステップＳ１００３に進んで、保守監視情報テーブル９２２に保持された保守監視情報を多数決にしたがって１つの保守監視情報に決定する。
【００７６】
［第５実施形態］
次に、本発明の第５実施形態に係る無線通信システムについて説明する。本実施形態に係る無線通信システムは、上記第２実施形態乃至第４実施形態と比べると、複数の無線装置（ＲＥ）と無線制御装置（ＲＥＣ）とが並列接続されている点で異なる。その他の構成及び動作は、上記実施形態と同様であるため、同じ構成及び動作については同じ符号を付してその詳しい説明を省略する。
【００７７】
本実施形態によれば、異なる無線装置（ＲＥ）間の保守監視情報の通知における遅延をなくし、保守監視情報によるＲＥＣの混乱を無くすことができる。
【００７８】
《無線通信システムの構成》
図１１は、本実施形態に係る無線通信システム１１００の構成を示すブロック図である。なお、図１１において、第２乃至第４実施形態と同様の構成要素には同じ参照番号を付して、説明を省略する。
【００７９】
図１１の無線通信システム１１００は、ＣＰＲＩ規格に準拠した構成で、複数のＲＥ１１１１〜１１１ｎと、複数のＲＥ１１１１〜１１１ｎに並列接続して制御するＲＥＣ１１２０とが接続されている。
【００８０】
ＲＥＣ１１２０は、ＣＰＲＩ伝送路１１３０である複数の光ケーブル１１４１〜１１４ｎを介して、各ＲＥ１１１１〜１１１ｎに接続されている。
【００８１】
ＲＥ１１１１〜１１１ｎの各々には、そのＲＥ群が設置されている環境（たとえば、屋内機械室、又は屋外のキュービクルなどの無線機器の収容室）におけるメンテナンス等に使用する外部機器２０１の監視制御線が、導入されている。
【００８２】
本実施形態においては、保守監視情報テーブル７２２は、各ＲＥからそれぞれの光ケーブル１１４１〜１１４ｎを介して送信された保守監視情報を収集する。そして、マスタ権７２１にしたがって、マスタ権をもつＲＥが取得した保守監視情報が選択される。
【００８３】
本実施形態における保守監視情報テーブル７２２は、第３実施形態と同様の構成でよい。なお、マスタ権は各ＲＥが保持していてもよい。
【００８４】
［第６実施形態］
次に、本発明の第６実施形態に係る無線通信システムについて説明する。本実施形態に係る無線通信システムは、上記第５実施形態と比べると、無線制御装置（ＲＥＣ）において多数決に基づき保守監視情報を一致させる点で異なる。その他の構成及び動作は、第５実施形態と同様であるため、同じ構成及び動作については同じ符号を付してその詳しい説明を省略する。
【００８５】
本実施形態によれば、異なる無線装置（ＲＥ）間の保守監視情報の通知における遅延をなくし、より信頼性のある保守監視情報を取得すると共に保守監視情報によるＲＥＣの混乱を無くすことができる。
【００８６】
《無線通信システムの構成》
図１２は、本実施形態に係る無線通信システム１２００の構成を示すブロック図である。なお、図１２において、第４及び第５実施形態と同様の構成要素には同じ参照番号を付して、説明は省略する。
【００８７】
本実施形態の第５実施形態との相違点は、ＲＥＣ１２２０が、第４実施形態の多数決部９２１と保守監視情報テーブル９２２とが使用される。したがって、第５実施形態の複数のＲＥとＲＥＣとの並列接続と、第４実施形態の多数決部９２１による保守監視情報の多数決とを組み合わせたものである。
【００８８】
［他の実施形態］
上記実施形態においては、１つの外部機器の保守監視情報を複数の無線装置（ＲＥ）が取得する場合を例に本発明を説明したが、本発明の実施形態はこれに限定されない。すなわち、本発明は、縦列接続されたＣＰＲＩ信号内の情報を一元管理、報告することが可能となるため、外部機器の保守監視情報の補正にとどまらず、縦列接続されたシステムにおける情報修正が必要なシステムに適用できる。たとえば、外部機器が複数ある場合や、取得する情報が保守監視情報以外の場合であってもよい。すなわち、取得する情報は、ＲＥＣが制御に用いる情報であればよい。
【００８９】
以上、実施形態を参照して本発明を説明したが、本発明は上記実施形態に限定されものではない。本発明の構成や詳細には、本発明のスコープ内で当業者が理解し得る様々な変更をすることができる。また、それぞれの実施形態に含まれる別々の特徴を如何様に組み合わせたシステム又は装置も、本発明の範疇に含まれる。
【００９０】
また、本発明は、複数の機器から構成されるシステムに適用されてもよいし、単体の装置に適用されてもよい。さらに、本発明は、実施形態の機能を実現する制御プログラムが、システムあるいは装置に直接あるいは遠隔から供給される場合にも適用可能である。したがって、本発明の機能をコンピュータで実現するために、コンピュータにインストールされる制御プログラム、あるいはその制御プログラムを格納した媒体、その制御プログラムをダウンロードさせるＷＷＷ(World Wide Web)サーバも、本発明の範疇に含まれる。
【００９１】
［実施形態の他の表現］
上記の実施形態の一部又は全部は、以下の付記のようにも記載されうるが、以下には限られない。
（付記１）
複数の無線装置と、前記複数の無線装置を制御する無線制御装置とを有する無線通信システムであって、
前記複数の無線装置が受信した保守監視情報を前記無線制御装置に送信する保守監視情報送信手段と、
同じ送信元から前記複数の無線装置が受信した保守監視情報を、前記無線制御装置が同じ情報として取得するよう制御する保守監視情報制御手段と、
を備えることを特徴とする無線通信システム。
（付記２）
前記複数の無線装置に対してマスタ権を設定する設定手段を備え、
前記保守監視情報制御手段は、前記マスタ権が設定されていない無線装置が受信した保守監視情報を、前記マスタ権が設定された無線装置が受信した保守監視情報に一致させるよう制御することを特徴とする付記１に記載の無線通信システム。
（付記３）
各無線装置が受信した保守監視情報を、受信した無線装置に対応付けて記憶する記憶手段を備え、
前記保守監視情報制御手段は、前記マスタ権が設定されていない無線装置が受信して前記記憶手段に記憶した第１保守監視情報が、前記マスタ権が設定された無線装置が受信して前記記憶手段に記憶した第２保守監視情報と異なる場合に、前記第１保守監視情報を前記第２保守監視情報に補正することを特徴とする付記２に記載の無線通信システム。
（付記４）
各無線装置が受信した保守監視情報を収集する収集手段を備え、
前記保守監視情報制御手段は、収集された複数の保守監視情報のうち多数が一致する保守監視情報を、前記無線制御装置が取得する保守監視情報とすることを特徴とする付記１に記載の無線通信システム。
（付記５）
前記複数の無線装置は、それぞれが受信した保守監視情報を前記複数の無線装置間で順次に送信して、前記無線制御装置に接続する無線装置が複数の保守監視情報を前記無線制御装置に送信するよう、縦列接続されていることを特徴とする付記１乃至４のいずれか1項に記載の無線通信システム。
（付記６）
前記複数の無線装置は、それぞれが受信した保守監視情報を他の無線装置と並列に前記無線制御装置に送信するよう、並列接続されていることを特徴とする付記１乃至４のいずれか1項に記載の無線通信システム。
（付記７）
前記複数の無線装置間、及び前記無線装置と前記無線制御装置との間は、ＣＰＲＩ(Common Public Radio Interface)規格による情報通信を行なうことを特徴とする付記１乃至５のいずれか１項に記載の無線通信システム。
（付記８）
マスタ権の設定又は前記保守監視情報の通信は、ＣＰＲＩプロトコルにおいて、Control & Management Plane及びLayer 1のVendor Specificを使用することを特徴とする付記５に記載の無線通信システム。
（付記９）
複数の無線装置と、前記複数の無線装置を制御する無線制御装置とを有する無線通信システムの制御方法であって、
前記複数の無線装置が受信した保守監視情報を前記無線制御装置に送信する保守監視情報送信ステップと、
同じ送信元からの前記複数の無線装置が受信した保守監視情報を、前記無線制御装置が同じ情報として取得するよう制御する保守監視情報制御ステップと、
を含むことを特徴とする無線通信システムの制御方法。
（付記１０）
複数の無線装置と、前記複数の無線装置を制御する無線制御装置とを有する無線通信システムにおける無線装置であって、
当該無線装置にマスタ権が設定されているか否かを記憶するマスタ権記憶手段と、
前記複数の無線装置が受信した保守監視情報を記憶する保守監視情報記憶手段と、
前記マスタ権記憶手段にマスタ権が設定されている場合に、当該無線装置が受信した保守監視情報に異なる保守監視情報を一致させるべく前記保守監視情報記憶手段を補正する保守監視情報補正手段と、
を備えることを特徴とする無線装置。
（付記１１）
複数の無線装置と、前記複数の無線装置を制御する無線制御装置とを有する無線通信システムにおける無線装置であって、当該無線装置にマスタ権が設定されているか否かを記憶するマスタ権記憶手段と、前記複数の無線装置が受信した保守監視情報を記憶する保守監視情報記憶手段と、を有する無線装置の制御方法であって、
前記マスタ権記憶手段にマスタ権が設定されている場合に、当該無線装置が受信した保守監視情報に異なる保守監視情報を一致させるべく前記保守監視情報記憶手段を補正する保守監視情報補正ステップを含むことを特徴とする無線装置の制御方法。
（付記１２）
複数の無線装置と、前記複数の無線装置を制御する無線制御装置とを有する無線通信システムにおける無線装置であって、当該無線装置にマスタ権が設定されているか否かを記憶するマスタ権記憶手段と、前記複数の無線装置が受信した保守監視情報を記憶する保守監視情報記憶手段と、を有する無線装置の制御プログラムであって、
前記マスタ権記憶手段にマスタ権が設定されている場合に、当該無線装置が受信した保守監視情報に異なる保守監視情報を一致させるべく前記保守監視情報記憶手段を補正する保守監視情報補正ステップをコンピュータに実行させることを特徴とする制御プログラム。
【図１】
2013162210.tif 000003
【図２】
2013162210.tif 000004
【図３】
2013162210.tif 000005
【図４Ａ】
2013162210.tif 000006
【図４Ｂ】
2013162210.tif 000007
【図４Ｃ】
2013162210.tif 000008
【図５】
2013162210.tif 000009
【図６】
2013162210.tif 000010
【図７】
2013162210.tif 000011
【図８Ａ】
2013162210.tif 000012
【図８Ｂ】
2013162210.tif 000013
【図９】
2013162210.tif 000014
【図１０Ａ】
2013162210.tif 000015
【図１０Ｂ】
2013162210.tif 000016
【図１１】
2013162210.tif 000017
【図１２】
2013162210.tif 000018